(57)【要約】  【課題】読み取り可能な複数のコードのうち、一方のコードについて読取失敗が生じた場合でも、読み取られたコードの照合による異常の発生頻度を抑制することができる物流システムにおける荷管理方法の提供。  【解決手段】複数種類のコードが備えられた荷Ｗと、荷Ｗの複数種類のコードを読み取るコード読取手段１９と、複数種類のコードのうち、少なくとも一種類のコードが予め登録されている荷情報データ２２と、を備え、コード読取手段１９に読み取られた複数種類のコードのうち、一つのコードを用いて荷情報データ２２と照合し、照合により荷Ｗを特定するとともに、荷Ｗの搬送先を特定する。照合に使用したコードと一致するコードが荷情報データ２２に存在し、かつ、読み取られた複数種類のコードのうち、照合にて使用したコード以外のコードが荷情報データ２２において未登録であるとき、未登録のコードを登録する。    【選択図】  図２
2009263041.tif 000002
【特許請求の範囲】
【請求項１】
一つの荷を特定する複数種類のコードと、複数種類の前記コードが備えられた荷と、該荷の複数種類のコードを読み取るコード読取手段と、複数種類の前記コードのうち、少なくとも一種類の前記コードが予め登録されている荷情報データと、該荷情報データを管理する荷管理コンピュータを備え、前記荷管理コンピュータは、前記コード読取手段に読み取られた複数種類の前記コードのうち、一つのコードを用いて荷情報データと照合し、  前記照合により前記荷を特定するとともに、荷の搬送先を特定する物流システムにおける荷管理方法において、
前記照合に使用したコードと一致するコードが荷情報データに存在し、かつ、コード読取手段に読み取られた複数種類の前記コードのうち、前記照合にて使用したコード以外のコードが荷情報データにおいて未登録であるとき、
前記未登録のコードを荷情報データに登録することを特徴とする物流システムにおける荷管理方法。
【発明の詳細な説明】
【技術分野】
【０００１】
この発明は、物流システムにおける荷管理方法に関し、特に、荷を特定する複数種類のコードに基づき荷の搬送先を特定する物流システムにおける荷管理方法に関する。
【背景技術】
【０００２】
従来では、例えば、図５に示すように、荷Ｗを搬送する荷搬送コンベア３５と、荷搬送コンベア３５を制御するコンベア制御盤３０と、荷Ｗに貼着されたバーコードを読み取るバーコードリーダ３４と、荷Ｗに関する各種データを管理する荷管理コンピュータ３１と、を備える物流システムが知られている。
荷管理コンピュータ３１は、荷Ｗの商品コードや２種類の物流用のバーコード（ＩＴＦコード、ＪＡＮコード）等のデータが登録された荷情報データ３２を管理する。
なお、図５では、荷管理コンピュータ３１が荷情報データ３２と荷搬送データ３３を管理することを模式的に示している。
【０００３】
この物流システムでは、オペレータの入力作業等に基づく搬送要求が生じると、荷管理コンピュータ３１は荷情報データ３２から搬送対象の荷Ｗのデータを抽出し、荷搬送データ３３を作成する。
荷搬送データ３３には、荷情報データ３２の登録されているデータのほか、荷Ｗの搬送先を示すデータが登録されている。
この物流システムは、搬送対象の荷Ｗのバーコードを読み取り、読み取ったバーコードのデータと、荷搬送データ３３との照合を行ない荷Ｗの搬送先を特定する荷管理を行う。
【０００４】
荷Ｗには、ＩＴＦコード及びＪＡＮコードが印刷されたラベルが貼着されている。
ＩＴＦコード及びＪＡＮコードは荷Ｗの商品コードと関連付けされたバーコードであり、荷搬送コンベア３５の近傍に設置されたバーコードリーダ３４が荷Ｗの両バーコードを読み取る。
バーコードリーダ３４が読み取ったバーコードのデータは荷搬送コンベア３５のコンベア制御盤３０を通じて荷管理コンピュータ３１へ伝達される。
荷管理コンピュータ３１は、バーコードのデータを用いて荷情報データ３２を照合し、バーコードのデータと荷情報データ３２との照合結果に基づき、荷搬送データ３３におけるコード取得元の荷Ｗの搬送先を特定する。
【０００５】
この物流システムにおける荷管理方法では、荷情報データ３２において一方のバーコード（ＩＴＦコード）は荷Ｗの種類に対応して全て登録されている。
ところが、他方のバーコード（ＪＡＮコード）は、荷情報データ３２において、荷Ｗの種類に対応して全て登録されず、荷Ｗの種類によってはＪＡＮコードが未登録のままである場合がある。
この場合、例えば、バーコードリーダ３４が荷Ｗの両方のバーコードを正常に読み取ることが可能なときは、荷管理コンピュータ３１は、ＩＴＦコードを用いて荷情報データ３２と照合し、一致するＩＴＦコードから商品コードを特定することができる。
照合により該当する商品コードが存在すると、荷搬送データ３３においても対象データが特定され、荷管理コンピュータ３１は荷搬送データ３３により荷Ｗの搬送先を特定する。
この場合、荷管理コンピュータ３１は特定した搬送先へ荷Ｗを搬送させるように、荷搬送コンベア３５のコンベア制御盤３０に指示を出す。
指示を受けたコンベア制御盤３０は指示に基づいて特定された搬送先へ荷Ｗを搬送するように荷搬送コンベア３５を制御する。
【０００６】
ところで、この種の物流システムでは、バーコードリーダ３４が荷Ｗの一方のバーコードを正常に読み取ることができない場合がある。
例えば、図５に示すように、荷ＷにおけるＪＡＮコードの読み取りはでき、ＩＴＦコードの読み取りができなかった場合である。
この場合、ＩＴＦコードに代えてＪＡＮコードを用いて荷情報データ３２と照合する。
照合により該当するコードが存在すると、ＩＴＦコードによる照合と同様に、荷搬送データにおいても対象データが特定され、荷搬送データ３３により荷Ｗの搬送先が特定される。
ところが、図５に示すように、ＪＡＮコードを読み取ることができても、読み取ったＪＡＮコードが荷情報データ３２において未登録である場合、該当データが認められず、荷Ｗの搬送先が特定されず異常として荷Ｗは処置される。
【０００７】
ところで、物流システムの荷管理方法と関連する別の従来技術として、例えば、特許文献１に記載された物品管理システムが存在する。
このシステムでは、主にバーコード等の普遍コードを有する物品が受け入れられた場合には、物品管理システムがバーコードの読み取りにより物品に関する情報を取得する。
普遍コードを持たない物品が受け入れられた場合には、物品管理システムは独自コードを生成して、物品に貼り付けるための独自コードのラベルを印刷するほか独自コードと普遍コードとを関連付けしてデータベースに登録する。
【特許文献１】特開２００６−３０６５６１公報
【発明の開示】
【発明が解決しようとする課題】
【０００８】
図５に示す従来の物流システムにおける荷管理方法では、荷情報データにおいて全て登録されている一方のコードが読み取れず、荷情報データにおいて未登録を含む他方のコードのみを読み取った場合では、他方のコードに対応する一方のコードが荷情報データに存在しても、他方のコードが荷情報データにおいて未登録であると、荷の搬送先が特定されず必ず異常になるという問題がある。
他方のコードの未登録を解消するためには、未登録のコードを荷情報データに登録すればよいが、人手に頼る登録作業では作業の煩雑さを回避することができない。
【０００９】
また、特許文献１に開示された物品管理システムは、物品に普遍コードがない場合には単に独自コードを生成するので、普遍コードの読み取りが異常の場合（誤読や読取失敗）には、物品に普遍コードが存在しても独自コードを生成するおそれがある。独自コードを生成することから、独自コード生成のシステムが必要になるほか、独自コードの二重登録を防止する対策を講じる必要がある等、独自コードの生成に係る制御が複雑化する。
【００１０】
本発明は、上記の問題点に鑑みてなされたもので、本発明の目的は、読み取り可能な複数種類のコードのうち、一方のコードについて読取失敗が生じた場合でも、読み取られたコードの照合による異常の発生頻度を抑制することができる物流システムにおける荷管理方法の提供にある。
【課題を解決するための手段】
【００１１】
上記課題を達成するため、本発明は、一つの荷を特定する複数種類のコードと、複数種類の前記コードが備えられた荷と、該荷の複数種類のコードを読み取るコード読取手段と、複数種類の前記コードのうち、少なくとも一種類の前記コードが予め登録されている荷情報データと、該荷情報データを管理する荷管理コンピュータを備え、前記荷管理コンピュータは、前記コード読取手段に読み取られた複数種類の前記コードのうち、一つのコードを用いて荷情報データと照合し、前記照合により前記荷を特定するとともに、荷の搬送先を特定する物流システムにおける荷管理方法において、前記照合に使用したコードと一致するコードが荷情報データに存在し、かつ、コード読取手段に読み取られた複数種類の前記コードのうち、前記照合にて使用したコード以外のコードが荷情報データにおいて未登録であるとき、前記未登録のコードを荷情報データに登録することを特徴とする。
【００１２】
本発明によれば、コード読取手段は搬送過程にある荷に備えられた複数種類のコードを読み取る。
コード読取手段が、荷の複数種類のコードを読み込むことができた場合、荷管理コンピュータは、コード読取手段に読み取られた複数種類のコードのうち、一つのコードを用いて荷情報データと照合する。
荷管理コンピュータは、照合により荷を特定するとともに、荷の搬送先を特定する。
照合に用いたコードと一致するコードが荷情報データに登録済みであって、かつ、照合に用いたコード以外のコードが荷情報データにおいて未登録であるとき、未登録のコードは荷管理コンピュータにより荷情報データに自動登録される。
当初未登録であったコードの荷情報データへの自動登録後に、荷のコード読み取りが行われるが、コード読み取りの対象の新たな荷が、先に扱った荷と別でも同内容の荷の場合がある。
この場合、コード読取手段が、照合に用いたコードを読取失敗し、先に自動登録された照合に用いたコード以外のコードのみを読み取ると、荷管理コンピュータは、読み取ったコードを用いて荷情報データの照合を行う。
既に、このとき用いるコードは、予め荷情報データに自動登録されているから、このコードにより荷が特定され、荷の特定により荷の搬送先が特定される。
当初の荷情報データにおいてコードの未登録が多い状態から、未登録のコードが荷情報データに多く自動登録されるほど、コードの未登録分が減少し、コードの読み取り不能を少なくすることができる。
【発明の効果】
【００１３】
本発明によれば、読み取り可能な複数種類のコードのうち、一方のコードについて読取失敗が生じた場合でも、読み取られたコードの照合による異常の発生頻度を抑制することができる物流システムにおける荷管理方法を提供することができる。
【発明を実施するための最良の形態】
【００１４】
以下、本発明の実施形態に係る物流システムについて図１〜図４に基づき説明する。
図１に示す物流システム１０は、複数の自動倉庫１１と、荷Ｗを搬送する荷搬送コンベア１５と、荷Ｗに関する情報を管理する荷管理コンピュータ２１を有する。
物流システム１０は、作業者等の入力による搬送要求に基づき、荷搬送コンベア１５により荷Ｗを搬送し、荷Ｗが備える複数種類のコードを読み取るとともに、荷管理コンピュータ２１がこれらのコードに基づいて荷Ｗ毎の搬送先を特定し、特定された搬送先へ荷Ｗを搬送するシステムである。
自動倉庫１１は荷収容棚１２とスタッカクレーン１３との組み合せにより構成されている。
荷収容棚１２には上下及び水平方向に区画された複数の空間部が形成されており、各空間部は荷Ｗを収容する荷収容部を構成する。
スタッカクレーン１３は各荷収容部に沿って敷設された軌道上を往復走行するほか、各荷収容部に対して荷Ｗの出し入れを行う。
荷収容棚１２及びスタッカクレーン１３は従来から知られた公知のものである。
この実施形態では１〜Ｎ台の自動倉庫１１が配設されており、各自動倉庫１１のスタッカクレーン１３は自動倉庫１１の台数に合わせて１〜Ｎ号機としている。
【００１５】
荷搬送コンベア１５は、所定の場所から投入された荷Ｗを自動倉庫１１へ搬送するためのコンベアである。
荷搬送コンベア１５は、図１に示すように、本流コンベア部１６と、分岐コンベア部１７と、リジェクトコンベア部１８と、バーコードリーダ１９と、コンベア制御盤２０とを有する。
本流コンベア部１６は略Ｕ字状の搬送路を形成しており、本流コンベア部１６の上流端は荷Ｗの投入位置Ｓを臨んで設置されている。
本流コンベア部１６の上流端から下流側端へ向かう間には、複数の分岐点Ｐが設けられている。
各分岐点Ｐには分岐コンベア部１７が接続されており、各分岐点Ｐの数は自動倉庫１１の数と対応している。
分岐コンベア部１７の下流端は対応する自動倉庫１１と接続されている。
分岐点Ｐの数と自動倉庫１１の数は荷Ｗの搬送先の数と対応する。
各分岐点Ｐには分岐コンベア部１７と本流コンベア部１６への荷Ｗの搬送を切り換える切り換え手段（図示せず）が備えられている。
この実施形態に係る荷搬送コンベア１５は入庫専用のコンベアである。
荷搬送コンベア１５の下流端はリジェクトコンベア部１８となっている。
リジェクトコンベア部１８は、荷管理コンピュータ２１により荷Ｗの搬送先が特定されない異常の場合に、異常対象の荷Ｗを取り出すコンベア部である。
【００１６】
本流コンベア部１６における最も上流側の分岐点Ｐの上流側には、バーコードリーダ１９が設置されている。
バーコードリーダ１９は搬送過程にある荷Ｗに貼着されている複数種類のバーコードを光学的に読み取る設備である。
バーコードリーダ１９はコンベア制御盤２０と接続され、バーコードリーダ１９により読み取られたバーコードのデータをコンベア制御盤２０に伝達する。
コンベア制御盤２０は荷搬送コンベア１５の各部を制御する制御盤である。
この実施形態のコンベア制御盤２０は、荷管理コンピュータ２１と通信可能に接続されている。
コンベア制御盤２０は、バーコードリーダ１９により読み取られたバーコードのデータを荷管理コンピュータ２１へ伝達する。
コンベア制御盤２０は、荷Ｗの搬送先が特定された後に荷管理コンピュータ２１からの指示の伝達を受ける。
【００１７】
この実施形態の荷搬送コンベア１５が搬送する荷Ｗは、具体的には商品が収容されたダンボール箱である。
ダンボール箱内には荷Ｗ毎に所定数の商品が収容されている。
この実施形態では、荷Ｗの種類は収容されている商品の種類と対応する。
荷Ｗの外側には、複数のバーコードを印刷したラベルが貼着されている。
ラベルはバーコードリーダ１９の読み取り可能な範囲に貼着されている。
ラベルに印刷されたバーコードは、物流用のバーコードである公知のＩＴＦコードとＪＡＮコードである。
ＩＴＦコードは１６桁の数字を持つバーコードで表現され、ＪＡＮコードは１３桁の数字を持つバーコードで表現されている。
ＩＴＦコードやＪＡＮコードは、荷管理コンピュータ２１が管理する荷情報データ２２の商品コードと関連付けされている。
【００１８】
荷管理コンピュータ２１は、荷Ｗに関するデータや処理に関するプログラムを記憶する機能と、プログラムを実行して荷Ｗに関するデータを処理して各種の判断を行う機能と、コンベア制御盤２０への指示を伝達する機能と、データ入力及び情報表示の機能と、を備えている。
荷管理コンピュータ２１が管理する荷Ｗに関するデータは、荷情報データ２２における各データと荷搬送データ２３における各データと、バーコードリーダ１９により読み取られたバーコード（ＩＴＦコード及びＪＡＮコード）のデータである。
【００１９】
荷管理コンピュータ２１は、商品に関するデータをまとめた荷情報データ２２を管理する。
この実施形態では、荷管理コンピュータ２１が、荷情報データ２２において商品毎に設定されている商品コードをキー情報として管理している。
荷情報データ２２では、管理する商品コード毎に、商品名と、ＩＴＦコードと、ＪＡＮコードとが関連付けられている。
商品コード毎に関連付けられた、商品、ＩＴＦコードと及びＪＡＮコードは、商品名、ＩＴＦコード及びＪＡＮコードのいずれかを特定することにより荷情報データ２２における商品コードを特定することができる。
【００２０】
荷情報データ２２が持つ商品コードは荷Ｗの種類を特定するコードである。
商品コード毎に関連付けられたＩＴＦコードとＪＡＮコードは、荷Ｗを特定する互いに種類の異なるコードである。
この実施形態の荷情報データ２２では、各データにおいて商品コード毎に対応するＩＴＦコードが必ず存在する。
荷情報データ２２はＪＡＮコードを登録しなくても各データを作成することができる構成であるから、各データにおいてＪＡＮコードの欄がブランクの場合がある。
つまり、荷情報データ２２における各データは、商品コード毎に関連付けられるバーコードとして、ＩＴＦコードとＪＡＮコードの２つのバーコードを持つ場合と、ＩＴＦコードのみを持つ場合がある。
【００２１】
荷管理コンピュータ２１は、オペレータのデータ入力等の搬送要求に基づき、荷情報データ２２から搬送対象の荷Ｗに関係するデータを抽出して荷搬送データ２３を作成する。
荷搬送データ２３は荷搬送コンベア１５による搬送予定の荷Ｗに関するデータの集合である。
荷搬送データ２３の各データは、荷情報データ２２と共通する商品コード、商品名、ＩＴＦコード、ＪＡＮコードが有するほか、荷Ｗの搬送先を有する。
荷搬送データ２３における荷Ｗの搬送先はスタッカクレーン１３の号数により特定されている。
【００２２】
この実施形態では、荷Ｗに関するデータや処理に関するプログラムが荷管理コンピュータ２１に記憶されている。
プログラムは、バーコードリーダ１９により読み取られたバーコードにより荷情報データ２２の照合を行う過程と、荷搬送データ２３に基づき荷Ｗの搬送先を特定する過程と、照合異常の場合の処置を行う過程と、を含む処理を実行する。
特に、バーコードリーダ１９により読み取られたバーコードによる荷情報データ２２の照合を行う過程には、バーコードの読み取り状態と、荷情報データ２２の状態からＪＡＮコードの自動登録の必要性を荷管理コンピュータ２１が判断し、自動登録が必要と判断された場合には、読み取ったＪＡＮコードを荷情報データ２２へ自動登録する過程が、含まれている。
【００２３】
図２は、ＩＴＦコードとＪＡＮコードの読み取りから、ＪＡＮコードを登録する自動過程を示すフローチャートである。
図２に示すフローチャートは、荷のバーコード（ＩＴＦコード、ＪＡＮコード）を読み取るステップ１と、両方のバーコードが読み取りされたか判断するステップ２と、荷情報データ２２に読み取ったＩＴＦコードが存在するか否かを判断するステップ３と、両方のバーコードが読み取りされている場合に荷情報データ２２に存在したＩＴＦコードと一緒に読み取られたＪＡＮコードが存在するか否かを判断するステップ４と、ステップ４においてＪＡＮコードが荷情報データ２２に存在しなかったときにＪＡＮコードを自動登録するステップ５と、から構成されている。
ステップ１は、バーコードリーダ１９が搬送対象の荷Ｗのバーコード（ＩＴＦコード、ＪＡＮコード）を読み取るステップであり、バーコードの読取完了によりステップ２へ進む。
ステップ２は、ＩＴＦコード及びＪＡＮコードの読み取り成否について判断し、両コードの読取成功の場合にはステップ３へ進み、失敗の場合には完了する分岐を有する。
ステップ３は、荷情報データ２２に読み取ったＩＴＦコードと一致するＩＴＦコードが存在するか否かを判断し、一致するＩＴＦコードが存在する場合には、ステップ４へ進み、存在しない場合には完了する分岐を有する。
ステップ４は、荷情報データ２２に存在したＩＴＦコードと一緒に読み取られたＪＡＮコードが存在するか否かを判断し、存在しない場合にはステップ５へ進み、存在する場合には完了する分岐を有する。
ステップ５は、ＪＡＮコードを荷情報データ２２に自動登録するステップであり、ＪＡＮコードの自動登録完了により一連の過程が完了する。
このフローチャートによる処理の後に、照合結果に応じた荷搬送データ２３に基づく荷Ｗの搬送先の特定と、照合結果による異常の処置を行う過程を含む処理が実行される。
【００２４】
次に、この実施形態に係る物流システム１０における荷管理の手順について説明する。
この物流システム１０は搬送対象の荷Ｗのバーコードを読み取り、読み取ったバーコードのデータと、荷搬送データ２３との照合を行ない荷Ｗの搬送先を特定する荷管理を行う。
荷管理コンピュータ２１には荷情報データ２２が予め作成され、荷情報データ２２は荷管理コンピュータ２１により管理されている。
オペレータの入力作業等による搬送要求が生じると、荷管理コンピュータ２１は、荷情報データ２２から搬送要求の対象となる商品のデータを抽出して荷搬送データ２３を作成する。
荷搬送データ２３には荷Ｗ毎に搬送先が特定されるデータを備えている。
荷Ｗが荷搬送コンベア１５により搬送され、バーコードリーダ１９は搬送過程の荷Ｗのバーコードを読み取る。
読み取られたバーコードはコンベア制御盤２０へ伝達され、コンベア制御盤２０から荷管理コンピュータ２１へ伝達される。
【００２５】
荷管理コンピュータ２１は、読み取られたバーコードを荷情報データ２２の照合のためのコードとして用いる。
この実施形態の荷管理コンピュータ２１は、バーコードの読み取り条件に応じて照合のために用いるバーコードを選択する。
荷情報データ２２のデータ照合は、ＩＴＦコードとＪＡＮコードの両方のバーコードが読み取られた場合と、ＩＴＦコードのみが読み取られた場合と、ＪＡＮコードのみが読み取られた場合で照合に用いるコードの選択が異なる。
【００２６】
ＩＴＦコードとＪＡＮコードの両方のバーコードが読み取られた場合、荷管理コンピュータはＩＴＦコードを照合に用いるコードとし、荷情報データ２２の該当するデータを照合する。
この場合、ＪＡＮコードは、照合にて使用するＩＴＦコード以外のコードである。
ＩＴＦコードを用いた照合により荷情報データ２２に該当データが存在しないとき、ＪＡＮコードを次の照合のためのコードとし、このＪＡＮコードを用いて荷情報データ２２を照合する。
ＩＴＦコードのみが読み取られた場合、荷管理コンピュータ２１はＩＴＦコードを照合のためのコードとして用い、ＩＴＦコードにより該当するデータを照合する。
ＪＡＮコードのみが読み取られた場合、ＪＡＮコードを照合のためのコードとして用い、ＪＡＮコードにより該当するデータを照合する。
なお、一方のコードのみの読み取りの場合、照合のためのコードとしてのバーコードのみが存在する。
【００２７】
照合によりバーコードに対応する該当データが得られた場合、荷管理コンピュータ２１は、該当データにおける商品コードに基づき、荷搬送データ２３の商品コードを照合して荷Ｗの搬送先を特定する。
荷Ｗの搬送先が特定されると、荷管理コンピュータ２１は特定された搬送先へ荷Ｗが搬送されるように、コンベア制御盤２０へ搬送指示を伝達する。
コンベア制御盤２０は、荷管理コンピュータ２１からの搬送指示に基づき荷搬送コンベア１５を制御して、バーコードが読み取られた荷Ｗを特定された搬送先へ搬送する。
なお、照合により該当データが得られなかった場合、読み取ったバーコードを持つ荷Ｗは搬送先が特定されず、異常としてリジェクトコンベア部１８へ搬送される。
【００２８】
次に、ＪＡＮコードの荷情報データ２２への自動登録について図２〜図４に基づき説明する。
なお、図３及び図４では、荷管理コンピュータ２１が荷情報データ２２と荷搬送データ２３を管理することを模式的に示している。
この実施形態に係る荷管理では、ＩＴＦコードとＪＡＮコードの両方のバーコードが読み取られた場合、ＩＴＦコードを照合のためのコードとして用いて荷情報データ２２と照合することを説明した。
この場合、荷情報データ２２に照合に用いたＩＴＦコードと一致するＩＴＦコードが存在し、かつ、ＪＡＮコードが荷情報データ２２に存在しない場合には、荷管理コンピュータ２１は未登録のＪＡＮコードを荷情報データ２２に自動登録する。
【００２９】
これを図２に基づいて説明すると、ステップ１においてバーコードが読み取られると、ステップ２に進み、荷管理コンピュータ２１は、ステップ２において、ＩＴＦバーコードとＪＡＮコードが両方読み取られているか否かを判断する。
ステップ２において両方のバーコードが読み取られている場合、ステップ３へ進み、荷管理コンピュータ２１は、荷情報データ２２に読み取ったＩＴＦコードが存在するか否かを判断する。
ステップ２において一方又は両方のバーコードが読み込めていないと判断された場合には図２に示す処理が終了する。
ステップ３では、読み取られたＩＴＦコードが荷情報データ２２に存在するか否かを、荷管理コンピュータ２１が判断する。
【００３０】
ステップ３について詳しく説明すると、荷管理コンピュータ２１は、読み取られているＩＴＦバーコードとＪＡＮコードのうち、ＩＴＦコードを照合のためのコードとして用いる。
図３に示すように、荷管理コンピュータ２１はＩＴＦコードを用いて荷情報データ２２と照合する。
荷管理コンピュータ２１が該当する商品コードの存在を認識したとき、該当する商品コードに関連付けられたＪＡＮコードが荷情報データ２２に存在するか否かを判断する。
荷管理コンピュータ２１によりＪＡＮコードが存在しないと判断された場合、読み取られたＪＡＮコードは荷情報データ２２において未登録であることを意味する。
図３に示すように、読み取られたＪＡＮコードが未登録の場合、このＪＡＮコードを荷情報データ２２に自動登録する。
ステップ４において、荷管理コンピュータ２１により商品コードに関連付けられたＪＡＮコードが荷情報データ２２に存在すると判断された場合は、このＪＡＮコードが登録済みであることを意味するから図２における処理は終了する（ステップ５）。
【００３１】
この実施形態は、荷Ｗのバーコードの読み取ると、ＩＴＦコードとＪＡＮコードの両方のバーコードが読み取られ、荷情報データ２２に読み取られたＩＴＦコードが存在し、かつ、読み取られたＪＡＮコードが荷情報データ２２に未登録である場合には、荷管理コンピュータはＪＡＮコードを荷情報データ２２に自動登録する。
上記の条件を満たすバーコードを持つ荷Ｗが搬送対象に含まれると、図２に示す処理を含む荷Ｗの搬送先の特定を行う処理において、荷情報データ２２における該当する荷Ｗに関連付けられたＪＡＮコードの未登録状態が解消される。
【００３２】
この後、新たな荷搬送データ２３が作成され、自動登録されたＪＡＮコードを持つ同じ商品の荷Ｗが搬送対象となった場合について、図４に基づいて説明する。
この荷Ｗのラベルのバーコードは荷Ｗの搬送過程でバーコードリーダ１９による読み取りが行われる。
バーコードの読み取りの際、ＩＴＦコードの読み取りができず、ＪＡＮコードの読み取りのみの場合、読み取られたＪＡＮコードを用いて荷情報データ２２と照合する。
先の荷Ｗの搬送先を特定する処理において、未登録であったＪＡＮコードは既に自動登録されていることから、荷管理コンピュータ２１は読み取られたＪＡＮコードの荷情報データ２２における存在を認識することができる。
ＪＡＮコードが認識されることにより商品コードが特定され、荷搬送データ２３に基づいて荷Ｗの搬送先が特定される。
【００３３】
この実施形態では以下の効果を奏する。
この物流システム１０に荷管理によれば、搬送対象の荷ＷのＩＴＦコードとＪＡＮコードを読み取り、読み取ったＩＴＦコードのデータと、荷搬送データ２３との照合を行ない荷Ｗの搬送先を特定する荷管理を行う過程で、荷情報データ２２において未登録のＪＡＮコードを自動登録することができる。
未登録のＪＡＮコードを持つ荷Ｗが搬送対象となり、未登録のＪＡＮコードが読み取られ、未登録のＪＡＮコードが荷情報データ２２に多く自動登録されるほど、ＪＡＮコードの未登録分が減少するから、ＪＡＮコードの読み取り不能が少なくなる。
また、搬送対象の荷Ｗが備えるＩＴＦコードやＪＡＮコードは当初から存在するコードであり、未登録のＪＡＮコードを荷Ｗの搬送先を特定する荷管理において登録するだけであり、従来技術のように荷管理コンピュータ２１が独自コード等の新たなコードを作成する必要はなく、独自コード生成による制御の複雑化を回避することができる。
【００３４】
なお、上記の実施形態は、本発明の一実施形態を示すものであり、本発明は、上記した実施形態に限定されるものではなく、下記のように発明の趣旨の範囲内で種々の変更が可能である。
【００３５】
○上記の実施形態では、複数種類のコードとしてバーコードの例を紹介したが、バーコードに限らず、印刷により比較的表示が容易なＱＲコード（登録商標）や数字コードを用いてもよく、この場合、コード読取手段は光学的にＱＲコード（登録商標）や数字コードを読み取ることができる構成の機器であればよい。
○上記の実施形態では、複数種類のコードの具体例してＩＴＦコードとＪＡＮコードを挙げたが、ＩＴＦコードとＪＡＮコードの他に、ケースＪＡＮコードやＵＰＣコードを用いてもよい。またコードの種類は２種類に限定されず複数以上であればよい。
○上記の実施形態では、荷情報データは商品コードをキー情報として商品コードに関連付けされた商品名とＩＴＦコードとＪＡＮコードを管理する場合について説明したが、荷情報データはこれらの項目以外、例えば、数量、製造日、生産国等の項目を管理するようにしてもよい。また、上記の実施形態では、関連コードの関連付けの元データとして荷を特定する商品データとしたがこれに限定されず、例えば、商品名としてもよく、荷情報データに登録されている他データを用いてもよい。
○上記の実施形態では、商品が収容されたダンボール箱を荷としたが、コンテナ、バケット、パレットを用いてもよく荷の形態は自由である。荷はコード読取手段により光学的に読み取り可能なコードを荷の外側に備えていればよい。
○上記の実施形態では、荷の搬送先が複数の自動倉庫であって入庫専用の物流システムについて説明したが、本発明は荷の搬送先が複数存在する物流システムであれば適用でき、例えば、荷の搬送先として複数の出庫先を有する出庫ラインに適用することも可能である。
【図面の簡単な説明】
【００３６】
【図１】本発明の実施形態に係る物流システムの概略構成を示す概略構成図である。
【図２】本発明の実施形態に係る物流システムの荷管理の手順の一部を示すフローチャートである。
【図３】物流システムの荷管理を説明する説明図であり、荷の搬送先を特定する処理においてＪＡＮコードが自動登録される場合の説明図である。
【図４】物流システムの荷管理を説明する説明図であり、ＩＴＦコードの読取失敗とＪＡＮコードの読取成功の場合で登録済みのＪＡＮコードにより荷の搬送先が特定される場合の説明図である。
【図５】従来の物流システムにおける荷管理を説明する説明図であり、ＩＴＦコードの読取失敗でＪＡＮコードの読取成功で荷の搬送先が特定されない異常の場合の説明図である。
【符号の説明】
【００３７】
１０  物流システム
１１  自動倉庫
１２  荷収容棚
１３  スタッカクレーン
１５、３５  荷搬送コンベア
１６  本流コンベア部
１７  分岐コンベア部
１８  リジェクトコンベア部
１９、３４  バーコードリーダ（コード読取手段）
２０、３０  コンベア制御盤
２１、３１  荷管理コンピュータ
２２、３２  荷情報データ
２３、３３  荷搬送データ
Ｗ  荷
Ｐ  分岐点
Ｓ  投入位置
【図１】
2009263041.tif 000003
【図２】
2009263041.tif 000004
【図３】
2009263041.tif 000005
【図４】
2009263041.tif 000006
【図５】
2009263041.tif 000007